(57)【特許請求の範囲】
【請求項１】
四角形状の容器本体部（１２）と、該容器本体部（１２）に連接するハンガ構成部（１４）とからなり、
容器本体部（１２）は、第１側壁（１６）と、第１側壁（１６）の相対する第１対の辺の一方に連接する上壁（２４）と、第１側壁（１６）の相対する第１対の辺の他方に連接する下壁（２６）と、第１側壁（１６）の相対する第２対の辺の一方側に順次連接する第２，３，４側壁（１８，２０，２２）とを有し、
ハンガ構成部（１４）は、上記第１側壁（１６）の相対する第２対の辺の他方側に順次連接しかつ第４，３，２側壁（２２，２０，１８）に夫々対応する第４，３，２外側壁（２８，３０，３２）を有し、
上記第４外側壁（２８）は、第４側壁（２２）の外面に接着された第４外側壁基部（２８ａ）と、該基部（２８ａ）の両側に夫々連接する１対の第４外側壁フラップ（２８ｂ，２８ｃ）とを有し、
上記第３外側壁（３０）は、下壁（２６）方向に凸である一連のＵ字形破断用ミシン目（３０ｄ）と該ミシン目（３０ｄ）の凸先端部内側に瓶首（４２）挿入用の第１切り欠き部（３０ｆ）とを備え第３側壁（２０）の外側に位置するハンガ形成基部（３０ａ）と、ハンガ形成基部（３０ａ）の上壁（２４）側に連接する上壁オーバラップ部（３０ｂ）と、ハンガ形成基部（３０ａ）の下壁（２６）側に連接する下壁オーバラップ部（３０ｃ）とを有し、
上記第２外側壁（３２）は、第２側壁（１８）の外面に接着された第２外側壁基部（３２ａ）と、該基部（３２ａ）の両側に夫々連接する１対の第２外側壁フラップ（３２ｂ，３２ｃ）とを有し、
上記上壁（２４）と上記上壁オーバラップ部（３０ｂ）、及び、上記下壁（２６）と上記下壁オーバラップ部（３０ｃ）は、夫々、上記第４外側壁（２８）の各第４外側壁フラップ（２８ｂ，２８ｃ）と、上記第２外側壁（３２）の各第２外側壁フラップ（３２ｂ，３２ｃ）とが内側に折り曲げられた状態で、互いに接着されてなることを特徴とする吊り下げ式封緘容器。
【請求項２】
上記Ｕ字形破断用ミシン目（３０ｄ）の１対の脚部（３０ｇ，３０ｈ）の各端（３０ｉ，３０ｊ）は、上記第３側壁（２０）の上記上壁（２４）側エッジに対して、上記下壁（２６）側に形成されたことを特徴とする請求項１記載の吊り下げ式封緘容器。
【請求項３】
上記ハンガ形成基部（３０ａ）は、上記Ｕ字形破断用ミシン目（３０ｄ）の上記凸先端部の一部に所定長さの切り罫を形成しかつ該切り罫の両端（３０ｐ，３０ｑ）から上記下壁オーバラップ部（３０ｃ）側に一連に凸に切り罫を形成してなる所定寸法の第２切り欠き部（３０ｅ）を備えたことを特徴とする請求項１又は２記載の吊り下げ式封緘容器。
【発明の詳細な説明】
【０００１】
【産業上の利用分野】
本発明は、菓子類等を収納するのに好適に用いられる封緘容器に関し、特に、ペット・ボトル等の瓶首に吊り下げて使用される景品用の吊り下げ式容器に関する。
【０００２】
【従来の技術】
従来より、たとえば菓子類等を中に収納し、ペット・ボトル等の瓶首に吊り下げて用いられる景品用の吊り下げ式封緘容器が知られている。この吊り下げ式封緘容器は、菓子類等を中に収納した四角形状の容器本体部と、上記ペット・ボトル等の瓶首挿入用穴を備え上記容器本体部の一側面に一端部が接着されたハンガ片とから構成されている。
【０００３】
しかし、この吊り下げ式封緘容器は、製造に当たって、容器本体部の製函工程に加えて、容器本体部に該本体部とは別体に準備された上記ハンガ片を固定するための工程をさらに別に設ける必要があり、この結果、容器の低コスト化を実現することが困難であった。
【０００４】
さらに、この従来式封緘容器は、上記の如く、ハンガ片の一端部が容器本体部に接着される一方、ハンガ片の他端部は固定されていないため、たとえば未使用容器の運搬時等において容器を慎重に取り扱わねば、ハンガ片が破損してしまう虞れがある。
【０００５】
【発明が解決しようとする課題】
従って、本発明が解決すべき技術的課題は、１枚のブランクから製造することができ、しかも、容器の未使用時には、ハンガ片が容器本体部に全体的に固定されている吊り下げ式封緘容器を提供することである。
【０００６】
【課題を解決するための手段・作用・効果】
上記技術的課題を解決するために、本発明によれば以下の構成の吊り下げ式封緘容器が提供される。
【０００７】
すなわち、この吊り下げ式封緘容器は、１枚のブランクから折り畳んで構成され、その少なくとも１つの側壁は２重壁として構成され、上記２重壁の外面壁は、Ｕ字形の破断用ミシン目により、該ミシン目の内側に形成されるハンガ片と、該ミシン目の外側に形成されかつ上記２重壁の内面壁に固定された外側壁とからなる。そして、上記ハンガ片は、先端部所定位置に瓶首の挿入用穴を備える。
【０００８】
この吊り下げ式封緘容器は、以下のようにして使用される。
【０００９】
すなわち、先ず、上記瓶首の挿入用穴に指を挿入して、該穴の内周エッジに指を引っ掛け、これを持ち上げて、上記Ｕ字形のミシン目を破断させる。
【００１０】
次いで、容器本体部から突出した上記ハンガ片の上記瓶首の挿入穴にペットボトル等の瓶首を通して、容器をペットボトル等に装着する。
【００１１】
上記構成によれば、この容器は、１枚のブランクから組み立てられるので、従来式容器に係るハンガ片の容器本体部への後付け工程が不要となり、従って、容器の製造コストを低減できる。
【００１２】
また、上記構成によれば、容器の未使用時には、ハンガ片は、上記ミシン目により上記外側壁に一体的に固定されており、たとえば、容器の運搬等に際してハンガ片の破損が防止される。
【００１３】
さらに、また、上記構成によれば、上記ハンガ片は容器本体部の外側に位置する外側壁に構成されており、容器使用時において、ハンガ片を上記ミシン目沿いに破断したとき、容器は、封緘状態に維持される。
【００１４】
この吊り下げ式封緘容器は、具体的には、以下のように構成される。すなわち、この容器は、四角形状の容器本体部と、該容器本体部に連接するハンガ構成部とからなる。この容器本体部は、第１側壁と、第１側壁の相対する第１対の辺の一方に連接する上壁と、第１側壁の相対する第１対の辺の他方に連接する下壁と、第１側壁の相対する第２対の辺の一方側に順次連接する第２，３，４側壁とを有し、ハンガ構成部は、上記第１側壁の相対する第２対の辺の他方側に順次連接しかつ第４，３，２側壁に夫々対応する第４，３，２外側壁を有し、上記第４外側壁は、第４側壁の外面に接着された第４外側壁基部と、該基部の両側に夫々連接する１対の第４外側壁フラップとを有する。上記第３外側壁は、下壁方向に凸である一連のＵ字形破断用ミシン目と該ミシン目の凸先端部内側に瓶首挿入用の第１切り欠き部とを備え第３側壁の外側に位置するハンガ形成基部と、ハンガ形成基部の上壁側に連接する上壁オーバラップ部と、ハンガ形成基部の下壁側に連接する下壁オーバラップ部とを有し、上記第２外側壁は、第２側壁の外面に接着された第２外側壁基部と、該基部の両側に夫々連接する１対の第２外側壁フラップとを有し、上記上壁と上記上壁オーバラップ部、及び、上記下壁と上記下壁オーバラップ部は、夫々、上記第４外側壁の各第４外側壁フラップと、上記第２外側壁の各第２外側壁フラップとが内側に折り曲げられた状態で、互いに接着されてなる。
【００１５】
この吊り下げ式封緘容器は、以下のようにして組み立てられる。
【００１６】
すなわち、先ず、第１側壁に対して、第２〜４側壁を折り罫を介して内側に折り曲げる。
【００１７】
次いで、第１側壁に対して、各第４〜２外側壁を上記各第４〜２側壁上に夫々被せるように該各第４〜２外側壁を折り罫を介して内側に折り曲げ、第４側壁の外面と第４外側壁とを互いに接着する一方、第２側壁の外面と第２外側壁とを互いに接着する。
【００１８】
次いで、上記下壁オーバラップ部側に位置する第２，４外側壁フラップを容器の内側に夫々折り曲げた後に、容器本体部側の上記下壁と、ハンガ構成部側の下壁オーバラップ部とを夫々内側に折り曲げて互いに接着する。
【００１９】
次いで、菓子類等の容器の内容物が、上記オーバラップ部側の開口から容器内に収容される。
【００２０】
次いで、上記上壁オーバラップ部側に位置する第２，４外側壁フラップを容器の内側に夫々折り曲げた後に、容器本体部側の上記上壁と、ハンガ構成部側の上壁オーバラップ部とを夫々内側に折り曲げて互いに接着する。
【００２１】
このようにして組み立てられた容器は、以下のようにして使用される。
【００２２】
すなわち、先ず、上記第３外側壁のハンガ形成基部が有する上記第１切り欠き部内に指を挿入して、容器本体部側の第３側壁上面を第１側壁方向に若干押圧しながら、指を上記第１切り欠き部のエッジに引っかける。上記の如く、ハンガ構成基部は、第３側壁に接着されていないので、このように、第３側壁の上面を指で押圧することにより、該第３側壁は、ハンガ構成基部に対して第１側壁側に撓り、指を上記第１切り欠き部のエッジに容易に引っかけることができる。
【００２３】
次いで、指を上記第１切り欠き部のエッジに引っかけた状態で外方向に引っ張り、上記ミシン目を破断させて、ミシン目に対して上記上壁オーバラップ側に位置するハンガ片を形成する。
【００２４】
次いで、ペット・ボトル等の瓶首を、上記ハンガ片の上記第１切り欠き部内に通して、容器をペット・ボトル等に装着する。
【００２５】
上記構成において、上記Ｕ字形破断用ミシン目の１対の脚部の各端は、上記第３側壁の上記上壁側エッジに対して、上記下壁側に形成されることが好ましい。
【００２６】
この構成により、容器使用時に、ハンガ片を上記ミシン目沿いに破断したとき、上記ミシン目の１対の脚部の上記各端に対して上壁オーバラップ部側に位置するハンガ構成基部は第３側壁の外面上に位置しており、容器は、より確実に封緘される。
【００２７】
上記各構成において、上記ハンガ形成基部は、上記Ｕ字形破断用ミシン目の上記凸先端部の一部に所定長さの切り罫を形成しかつ該切り罫の両端から上記下壁オーバラップ部側に一連に凸に切り罫を形成してなる所定寸法の第２切り欠き部を備えることが好ましい。
【００２８】
この構成により、容器使用時に、上記の如くハンガ片を上記ミシン目に沿って破断する場合、２本の指を用いて、たとえば親指と人差し指を第１切り欠き部と第２切り欠き部に夫々挿入して、この破断作業を行うことができ、容器の使い勝手を良くすることができる。
【００２９】
【実施例】
以下に、添付図面に従って、本発明の一実施例を詳細に説明する。
【００３０】
図１は、本実施例に係る吊り下げ式封緘容器のブランクの完全展開図、図２は、図１に示したブランクの組み立て工程図であり、図３は、図２の組み立て工程を経て組み立てられた吊り下げ式封緘容器がペット・ボトルの瓶首に装着された状態を示す説明図である。
【００３１】
図１に示すように、この吊り下げ式封緘容器１０は、容器本体部１２と、該容器本体部１２に接続したハンガ構成部１４とからなる。すなわち、図において、１６は長方形の第１側壁、２４，２６は夫々該第１側壁１６の相対する１対の短辺に折り罫Ｌ７，Ｌ１１を介して連接する上壁と下壁、１８は第１側壁１６の相対する１対の長辺の一方に折り罫Ｌ３を介して連接した第２側壁、２０は該第２側壁１８に折り罫Ｌ２を介して連接した第３側壁、２２は該第３側壁に折り罫Ｌ１を介して連接した第４側壁である。
【００３２】
一方、上記第１側壁１６の相対する１対の長辺の他方には、折り罫Ｌ４を介してハンガ構成部１４が連接している。すなわち、図において、２８は折り罫Ｌ４を介して連接した第４外側壁、３０は折り罫Ｌ５を介して連接した第３外側壁、そして３２は折り罫Ｌ６を介して連接した第２外側壁である。図に示すように、上記第４外側壁２８は、さらに、第４側壁２２に対応する第４外側壁基部２８ａと、該第４外側壁基部２８ａに折り罫Ｌ８，Ｌ１２を介して夫々連接する第４外側壁フラップ２８ｂ，２８ｃとからなり、上記第３外側壁は、さらに、第３側壁２０に対応するハンガ構成基部３０ａと、該ハンガ構成基部３０ａに折り罫Ｌ９，Ｌ１３を介して夫々連接する上壁オーバラップ部３０ｂと下壁オーバラップ部３０ｃとからなり、そして、上記第２外側壁３２は、さらに、第２側壁１８に対応する第２外側壁基部３２ａと、該第２外側壁基部３２ａに折り罫Ｌ１０，Ｌ１４を介して夫々連接する第２外側壁フラップ３２ｂ，３２ｃとからなる。
【００３３】
上記第２，４側壁１８，２２には、図の裏面側に接着剤Ａ，Ｂが設けられる一方、上記第４，２外側壁基部２８ａ，３２ａには、図の表面側に上記接着剤Ａ，Ｂに対応する被接着部Ａ’，Ｂ’が設けられている。さらに、上記第３外側壁３０の上壁オーバラップ部３０ｂと下壁オーバラップ部３０ｃには、図の表面側に接着剤Ｃ，Ｄが設けられる一方、容器本体部１２側の上壁２４と下壁２６には、図の裏面側に上記接着剤Ｃ，Ｄに対応する被接着部Ｃ’，Ｄ’が設けられている。
【００３４】
ところで、上記第３外側壁３０のハンガ構成基部３０ａには、図中、一点鎖線（太線）で示す如く、下壁オーバラップ部３０ｃ側に凸に形成されたＵ字形の破断用ミシン目３０ｄが形成されており、該ミシン目３０ｄにより、ハンガ構成基部３０ａは、ミシン目３０ｄに対して上壁オーバラップ部３０ｂ側に位置するハンガ突出部３０ｋと、ミシン目３０ｄに対して下壁オーバラップ部３０ｃ側に位置する側壁部３０ｍとから構成される。図に示すように、このＵ字形ミシン目の１対の脚部３０ｇ，３０ｈは、夫々、第３外側壁３０と第２外側壁３２とを連接する折り罫Ｌ６と、第３外側壁３０と第４外側壁２８とを連接する折り罫Ｌ５上に形成されており、上記脚部３０ｇの一端３０ｉと、上記脚部３０ｈの他端３０ｊは、夫々、ハンガ構成基部３０ａと上壁オーバラップ部３０ｂとを連接する上記折り罫Ｌ９から下壁オーバラップ部３０ｃ方向に所定間隔隔てられた位置、つまり、上記第３側壁２０の上記上壁２４側エッジに対して、上記下壁２６側に位置する位置に形成されている。また、上記Ｕ字形のミシン目３０ｄの凸先端部内側、つまり、ハンガ片３０ｋ、には、図３に示す如く、ペット・ボトルの瓶首に装着するための円形の第１切り欠き部３０ｆが形成されている。なお、上記ハンガ片３０ｋには、上記折り罫Ｌ９と上記切り欠き部３０ｆとの間に複数の折り罫Ｌ１５〜Ｌ１７が形成されており、上壁オーバラップ部３０ｂに最も近接した折り罫Ｌ１５は、その両端が上記Ｕ字形ミシン目３０ｄの上記両端３０ｉ，３０ｊに合致するように設けられている。
【００３５】
上記構成の吊り下げ式封緘容器１０は、以下のようにして組み立てられる。すなわち、図２（Ｉ）に示す完全展開状態のブランクから、先ず、（ＩＩ）に示す如く、容器本体１２側の第２，３，４側壁１８，２０，２２を、夫々、折り罫Ｌ３，Ｌ２，Ｌ１を介して第１側壁１６に対して内側に折り曲げる。
【００３６】
次いで、（ＩＩＩ）に示す如く、ハンガ構成部１４側の第４，３，２外側壁２８，３０，３２を折り罫Ｌ４，Ｌ５，Ｌ６を介して上記第１側壁１６に対して内側に折り曲げ手第４外側壁基部２８ａと第４側壁２２の外面、及び第２外側壁基部３２ａと第２側壁１８の外面とを夫々接着する。つまり、この組み立てステップによって、第１側壁１６を除く他の３つの側壁、つまり第２，３，４側壁１８，２０，２２側の側壁は、２重側壁として構成されることになる。
【００３７】
次いで、上記ハンガ構成部１４の第４外側壁フラップ２８ｃと第２外側壁フラップ３２ｃとを、夫々、内側に折り曲げ、容器本体部１２の下壁２６を内側に折り曲げた後、ハンガ構成部１４の下壁オーバラップ部３０ｃを内側に折り曲げて、該下壁２６と該下壁オーバラップ部３０ｃとを互いに接着する。
【００３８】
次いで、不図示の工程により、未だ封緘されていない上壁２４側の開口から菓子類等の内容物を容器内部に詰める。
【００３９】
次いで、上記ハンガ構成部１４の第４外側壁フラップ２８ｂと第２外側壁フラップ３２ｂとを、夫々、内側に折り曲げ、容器本体部１２の上壁２４を内側に折り曲げた後、ハンガ構成部１４の上壁オーバラップ部３０ｂを内側に折り曲げて、該上壁２４と該上壁オーバラップ部３０ｂとを互いに接着する。つまり、第４，２外側壁２８，３２に、上記の如く、１対の第４外側壁フラップ２８ｂ，２８ｃと、１対の第２外側壁フラップ３２ｂ，３２ｃとを設けることにより、上壁２４と上壁オーバラップ部３０ｂ、及び下壁２６と下壁オーバラップ部３０ｃとが、夫々、互いに接着されたときに、上壁２４（又は、上壁オーバラップ部３０ｂ）側及び下壁２６（又は、下壁オーバラップ部３０ｃ）側における封緘を確実なものにすることができる。このようにして組み立てられた容器を図２（ＩＶ）に示している。
【００４０】
さて、上記の如く組み立てられた吊り下げ式封緘容器１０は、以下のようにして使用される。すなわち、第３外側壁３０のハンガ構成基部３０ａに設けられた上記円形の第１切り欠き部３０ｆ内に指を挿入し、第３側壁２０の上面を若干押し下げるようにして該第１切り欠き部３０ｆの内周エッジに指を引っかける。上記の如く、この第３側壁２０と、第３外側壁３０とは、互いに接着されていないので、このように指で押圧することにより、第３側壁２０は、第３外側壁３０に対して第１側壁１６側に若干押し下げられることになり、指を上記第１切り欠き部３０ｆの内周エッジに容易に引っかけることができる。
【００４１】
次いで、第１切り欠き部３０ｆに引っかけた指を上方に持ち上げることにより、上記ハンガ構成基部３０ａに形成された上記破断用ミシン目３０ｄは、そのＵ字形先端部から、ミシン目３０ｄの両脚部３０ｇ，３０ｈの上記両端３０ｉ，３０ｊに至るまで順次破断せしめられ、ハンガ片３０ｋは、側壁部３０ｍから分離される。
【００４２】
次いで、このように破断されたハンガ片３０ｋは、該ハンガ片３０ｋに設けられた上記第１切り欠き部３０ｆを図３のペット・ボトル４０の瓶首４２に通すことにより、ペット・ボトル４０に装着される。
【００４３】
上記の如く、上記破断用ミシン目３０ｄの１対の脚部３０ｇの両端３０ｉ，３０ｊは、第３外側壁３０の上記折り罫Ｌ９から下壁オーバラップ３０ｃ方向に所定間隔隔てられた位置に設けられているため、ミシン３０ｄが上記ミシン目３０ｄの両端３０ｉ，３０ｄに至るまで破断された場合にハンガ片３０ｋの下面は第３側壁の上面に当接状態に保たれ、従って、ミシン面３０ｄの該破断時における上壁オーバラップ部３０ｂ側の封緘が確実なものになっている。
【００４４】
また、ハンガ片３０ｋに形成された上記折り罫Ｌ１５〜Ｌ１７により、ハンガ片３０ｋに弾性が付与されており、これにより、ハンガ片３０ｋをペット・ボトル等の瓶首へ容易に装着できるようになっている。
【００４５】
上記実施例では、ハンガ片３０ｋの側壁面３０ｍに対する破断作業は、上記第１切り欠き部３０ｆ内に指を挿入して行われることになるが、図１の２点鎖線（太線）で示す如く、上記Ｕ字形のミシン目３０ｄの先端部に所定長さの切り罫を形成しかつ該切り罫の両端３０ｐ，３０ｑから下壁オーバラップ部３０ｃ方向に凸に半月状に切り罫を形成してなる第２切り欠き部３０ｅを設けることが好ましい。この構成により、ハンガ片３０ｋの上記破断作業は、２本の指を使って、たとえば、親指をハンガ片３０ｋの上記第１切り欠き部３０ｆ内に挿入する一方、人差し指を側壁部３０ｍ側に設けられた上記第２切り欠き部３０ｅ内に挿入して、容易に行うことができる。
【００４６】
なお、本実施例においては、上記組み立てステップで説明したように、容器本体部１２側の下壁２６を先に内側に折り曲げてから、第３外側壁３０の下壁オーバラップ部３０ｃを内側に折り曲げて上記下壁２６に接着する一方、容器本体部１２側の上壁２４を先に内側に折り曲げてから、第３外側壁３０の上壁オーバラップ部３０ｂを内側に折り曲げて上記上壁２４に接着しているが、上記接着剤Ｃ，Ｄを下壁オーバラップ部３０ｃと上壁オーバラップ部３０ｂとに設けずに、容器本体部１２側の下壁２６と上壁２４とに夫々設けることにより、第３外側壁３０の下壁オーバラップ部３０ｃを先に内側に折り曲げてから、容器本体部１２側の下壁２６を内側に折り曲げて下壁オーバラップ部３０ｃに接着する一方、第３外側壁３０の上壁オーバラップ部３０ｂを先に内側に折り曲げてから、容器本体部１２側の上壁２４を内側に折り曲げて上壁オーバラップ部３０ｂに接着するようにしてもよい。
【００４７】
また、本実施例においては、第４，２側壁２２，１８に、夫々、接着剤Ａ，Ｂを設けて、第４，２外側壁基部２８ａ，３２ａを該接着剤Ａ，Ｂの被接着部Ａ’，Ｂ’としているが、第４，２外側壁基部２８ａ，３２ａに、夫々、接着剤を設けて、第４，２側壁側を接着剤の被接着部としてもよい。
【００４８】
さらに、また、本実施例においては、上記組み立てステップで説明したように、菓子類等の内容物は、下壁２６側を先に封緘した後に容器内部に詰めているが、これに代えて、上壁２４側を先に封緘した後に容器内部に詰めるようにしてもよい。
【図面の簡単な説明】
【図１】本発明の１実施例に係る吊り下げ式封緘容器のブランクの完全展開図である。
【図２】図１に示したブランクの組み立て工程図である。
【図３】図２の組み立て工程を経て組み立てられた吊り下げ式封緘容器の１使用例を示す説明図である。
【符号の説明】
１０  吊り下げ式封緘容器
１２  容器本体部
１４  ハンガ構成部
１６  第１側壁
１８  第２側壁
２０  第３側壁
２２  第４側壁
２４  上壁
２６  下壁
２８  第４外側壁
２８ａ  第４外側壁基部
２８ｂ  第４外側壁フラップ
２８ｃ  第４外側壁フラップ
３０  第３外側壁
３０ａ  ハンガ構成基部
３０ｂ  上壁オーバラップ部
３０ｃ  下壁オーバラップ部
３０ｄ  ミシン目
３０ｅ  第２切り欠き部
３０ｆ  第１切り欠き部
３０ｇ  脚部
３０ｈ  脚部
３０ｉ  ミシン目の一端
３０ｊ  ミシン目の他端
３０ｋ  ハンガ片
３０ｍ  側壁部
３０ｐ，３０ｑ  両端
３２  第２外側壁
３２ａ  第２外側壁基部
３２ｂ  第２外側壁フラップ
３２ｃ  第２外側壁フラップ
４０  ペット・ボトル
４２  瓶首
Ａ〜Ｄ  接着剤
Ａ’〜Ｄ’  被接着部
Ｌ１〜Ｌ１７  折り罫
【図１】
0003594684.tif 000002
【図２】
0003594684.tif 000003
【図３】
0003594684.tif 000004